(57)【要約】      （修正有）【課題】腹治具なしの手作業で簡単に弾性バンドの交換作業を行える、鞍固定用の腹帯の提供。【解決手段】鞍固定用の腹帯１０は、長尺帯状のベルト本体１１と、ベルト本体１１の長手方向両端側に設けたバックル体１２aとを備える。両バックル体１２aの一方とベルト本体１１の長手方向一端側とは、長手方向に伸縮可能な弾性バンド１４を介して治具なしで着脱自在に連結する。【選択図】図５
2020014700.tif 000002
【特許請求の範囲】
【請求項１】
馬の背上に載せた鞍を固定するのに用いる腹帯であって、
長尺帯状のベルト本体と、前記ベルト本体の長手方向両端側に設けたバックル体とを備えており、前記両バックル体の一方と前記ベルト本体の長手方向一端側とは、長手方向に伸縮可能な弾性バンドを介して治具なしで着脱自在に連結している、
鞍固定用の腹帯。
【請求項２】
前記弾性バンドのうち前記バックル体とは反対側の部位に紐状のループ部を設ける一方、前記ベルト本体の長手方向一端側にリング部を設けており、
前記リング部に通した前記ループ部に、前記弾性バンドを前記バックル体側から差し込んで締め付けることによって、前記バックル体が前記ベルト本体の長手方向一端側に対して治具なしで着脱自在になっている、
請求項１に記載した鞍固定用の腹帯。
【発明の詳細な説明】
【技術分野】
【０００１】
本発明は、馬の背上に載せた鞍を固定するのに用いる腹帯（ガース）に関する。
【背景技術】
【０００２】
従来、馬の背上に載せた鞍を固定するのに用いる腹帯は、長尺帯状のベルト本体と、ベルト本体の長手方向両端側に設けたピンバックルとを備えている（例えば特許文献１及び２等参照）。鞍の左右両側から下向きに延びる托革に開けた穴に各ピンバックルの係止ピンを差し込んで連結することによって、腹帯が馬の腹部に巻き付くように装着され、馬の背上の鞍が固定される。
【先行技術文献】
【特許文献】
【０００３】
【特許文献１】実開昭５７−１７９９００号公報
【特許文献２】米国特許第６５０２３７６号明細書
【発明の概要】
【発明が解決しようとする課題】
【０００４】
ところで、この種の腹帯では、長手方向に伸縮可能な弾性バンドを介して、ピンバックルの一方とベルト本体の長手方向一端側とを連結している。弾性バンドは、馬の腹部に巻き付けた腹帯が緩まず且つ締まり過ぎないように、腹帯の巻き付き具合を微調節するものである。この場合、弾性バンド自体は、ベルト本体の長手方向一端側に直接縫い付けて固定されている。
【０００５】
ここで、度重なる伸縮等によって弾性バンドが劣化や亀裂、破損等した場合は交換することになるが、上記のようにベルト本体に弾性バンドを直接縫い付ける構成では、交換の度に、ハサミやナイフ等で縫い付けを切り取って以前の弾性バンドを取り外し、そのあと、新たな弾性バンドを再び縫い付けなければならない。このため、弾性バンドの交換作業に大変手間がかかるという問題があった。
【課題を解決するための手段】
【０００６】
本発明は、上記のような現状を検討して改善を施した鞍固定用の腹帯を提供することを技術的課題としている。
【０００７】
本発明は、馬の背上に載せた鞍を固定するのに用いる腹帯であって、長尺帯状のベルト本体と、前記ベルト本体の長手方向両端側に設けたバックル体とを備えており、前記両バックル体の一方と前記ベルト本体の長手方向一端側とは、長手方向に伸縮可能な弾性バンドを介して治具なしで着脱自在に連結しているというものである。
【０００８】
本発明に係る鞍固定用の腹帯において、前記弾性バンドのうち前記バックル体とは反対側の部位に紐状のループ部を設ける一方、前記ベルト本体の長手方向一端側にリング部を設けており、前記リング部に通した前記ループ部に、前記弾性バンドを前記バックル体側から差し込んで締め付けることによって、前記バックル体が前記ベルト本体の長手方向一端側に対して治具なしで着脱自在になっていてもよい。
【発明の効果】
【０００９】
本発明によると、両バックル体の一方とベルト本体の長手方向一端側とが、長手方向に伸縮可能な弾性バンドを介して治具なしで着脱自在に連結しているから、治具なしの手作業で簡単に弾性バンドの交換作業を行える。従って、交換作業に要する手間を著しく軽減できる。
【図面の簡単な説明】
【００１０】
【図１】実施形態において馬の背上に載せた鞍と腹帯との連結態様を示す側面図である。
【図２】腹帯の平面図である。
【図３】バンドカバーを半分展開した状態の腹帯の平面図である。
【図４】バンドカバーを完全に展開した状態の腹帯の平面図である。
【図５】ピンバックル付きの弾性バンドを取り外した状態の拡大平面図である。
【図６】ループ部をリング部に通した状態の拡大平面図である。
【図７】弾性バンドをピンバックル側からループ部に差し込んだ状態の拡大平面図である。
【発明を実施するための形態】
【００１１】
次に、本発明を具体化した実施形態を図面に基づき説明する。本発明に係る腹帯１０（ガースとも言う）は、馬１の背２上に載せた鞍４を固定するのに用いるものである。実施形態の腹帯１０は、長尺帯状のベルト本体１１と、ベルト本体１１の長手方向両端側に設けたバックル体としてのピンバックル１２とを備えている。
【００１２】
図１に示すように、鞍４の左右両側から下向きに延びる托革５（図１では左右一方のみ示す）に開けた穴６に各ピンバックル１２の係止ピン１３を差し込んで連結することによって、腹帯１０が馬１の腹３に巻き付くように装着され、馬１の背２上の鞍４が固定される。なお、詳細については後述するが、以下の説明では便宜上、着脱しない方のピンバックル１２の符号にアルファベットの「ｂ」を付し、着脱自在な方のピンバックル１２の符号にアルファベットの「ａ」を付すこととする。
【００１３】
ベルト本体１１は、例えば皮革、織物又は合成樹脂といった可撓性を有する素材製のものである。実施形態では、ベルト本体１１の長手方向各端側に二個ずつ、計四個のピンバックル１２を設けている。
【００１４】
図２〜図４に示すように、ベルト本体１１の長手方向他端側は二股に分かれている。ベルト本体１１における二股の突端部分に、それぞれピンバックル１２ｂを設けている。従って、ベルト本体１１の長手方向他端側にある二個のピンバックル１２ｂは、ベルト本体１１の短手方向に沿って並んでいる。これら二個のピンバックル１２ｂは、基本的にベルト本体１１から着脱しないものである。
【００１５】
残る二個のピンバックル１２ａはそれぞれ、長手方向に伸縮可能な弾性バンド１４を介して、ベルト本体１１の長手方向一端側に治具なしで着脱自在に連結している。実施形態では、ベルト本体１１の長手方向一端側に、ベルト本体１１の短手方向に沿って並ぶ二個のリング部１６を設けている。また、各弾性バンド１４のうちこれに設けたピンバックル１２ａとは反対側の部位に紐状のループ部１５を設けている。ピンバックル１２ａ（バックル体）と弾性バンド１４とループ部１５とによって、広い意味でのバックル部材を構成している。
【００１６】
図５〜図７に示すように、ベルト本体１１の長手方向一端側にピンバックル１２ａを連結するに際しては、当該ピンバックル１２ａ付きの弾性バンド１４のループ部１５をリング部１６に通してから、弾性バンド１４をピンバックル１２ａ側からループ部１５に差し込んで締め付ければよい。それだけで、ループ部１５がリング部１６に巻き付いて、ベルト本体１１の長手方向一端側にピンバックル１２ａを治具なしで取り付けできる。
【００１７】
逆に、ベルト本体１１の長手方向一端側とピンバックル１２ａとの連結を解除するに際しては、弾性バンド１４をピンバックル１２ａと共にループ部１５から引き抜いたのち、ループ部１５をリング部１６から引き抜くだけで、ピンバックル１２ａを治具なしで取り外しできる。
【００１８】
従って、上記の構成によると、治具なしの手作業で簡単に弾性バンド１４の交換作業を行えることになり、交換作業に要する手間を著しく軽減できるのである。
【００１９】
図５及び図６から分かるように、実施形態では、各リング部１６を略三角形状に形成し、Ｖ字状の二つの斜辺部分を露出させている。そして、ループ部１５を形成するにあたっては、若干幅のある紐の一端側を反転させてから端部同士を重ね合わせ、当該重ね合せ部分を弾性バンド１４に縫い付けている。かかる構成によると、ループ部１５をリング部１６に巻き付けた際に、あたかもネクタイのノットを形成したかのように、リング部１６におけるＶ字状の二つの斜辺部分に、ループ部１５をコンパクトで且つ美麗に巻き付けできる。
【００２０】
更に、図２〜図７に示すように、実施形態では、ベルト本体１１の長手方向一端側に、ループ部１５を含む各弾性バンド１４の根元側や各リング部１６を包み込むバンドカバー１７を設けている。バンドカバー１７は、展開状態において全体が矩形状をしており、各弾性バンド１４等を挟んだ両側から平筒状に折り畳んで各弾性バンド１４等を包み込む（覆い隠す）ように構成している。この場合、バンドカバー１７において各弾性バンド１４等を挟んだ両側の外面側縁部及び内面側縁部に、雌雄の面ファスナー１８，１９を縫合等によって取り付けている。雌雄の面ファスナー１８，１９を相互に係合させることによって、バンドカバー１７が平筒状に折り畳まれ、各弾性バンド１４等が包み込まれる（覆い隠される）。バンドカバー１７は、ループ部１５を含む各弾性バンド１４の根元側や各リング部１６を保護する機能も担っている。
【００２１】
なお、本発明における各部の構成は図示の実施形態に限定されるものではなく、本発明の趣旨を逸脱しない範囲で種々変更可能である。例えばベルト本体１１の長手方向一端側とピンバックル１２との連結構造としては、ループ部１５をリング部１６に巻き付けるに限らず、ファスナー、面ファスナー、ボタン式の留め具といった等の任意の協働する雌雄部材を採用できる。この場合、腹帯１０を馬１の腹３に巻き付けて固定できるだけの十分な連結強度と治具なしでの着脱容易性とを兼ね備えていればよい。雌雄部材としてはループ部とリング部との組み合わせも含まれることは言うまでもない。
【００２２】
また、ベルト本体１１の長手方向両端側にバックル体を着脱自在に連結しても差し支えない。バックル体としても、ピンバックルに限らず、摩擦で係合するタイプのバックルでもよい。ベルト本体１１の長手方向各端側において、バックル体は一個でもよいし三個以上になっても構わない。
【符号の説明】
【００２３】
１  馬
２  （馬１の）背
３  （馬１の）腹
４  鞍
５  托革
６  穴
１０  腹帯
１１  ベルト本体
１２（１２ａ，１２ｂ）  バックル体としてのピンバックル
１３  係止ピン
１４  弾性バンド
１５  ループ部
１６  リング部
１７  バンドカバー
１８，１９  雌雄の面ファスナー
【図１】
2020014700.tif 000003
【図２】
2020014700.tif 000004
【図３】
2020014700.tif 000005
【図４】
2020014700.tif 000006
【図５】
2020014700.tif 000007
【図６】
2020014700.tif 000008
【図７】
2020014700.tif 000009